(57)【要約】【課題】この発明は、例えば記録媒体の所有者等、特定のユーザのみがその記録媒体を再生することを可能とし得る情報記録装置及び情報記録方法、情報再生装置及び情報再生方法を提供することを目的としている。【解決手段】データに暗号化処理を施して記録媒体１１に記録する情報記録装置であって、乱数発生により生成されたキー３４を用いてデータ３３に暗号化処理を施し、その暗号化データ３５を記録媒体１１に記録する第１の手段１７ａと、記録媒体１１に記録されている第１の固有データ３６を用いて、第１の手段１７ａで暗号化処理に用いたキー３４を暗号化して第１の暗号化キー３７を生成する第２の手段１７ａと、記録媒体１１に記録されていない第２の固有データ３８を用いて第１の暗号化キー３７に暗号化処理を施し、記録媒体１１に記録する第３の手段１７ａとを備える。【選択図】    図２
2006155803.tif 000002
【特許請求の範囲】
【請求項１】
データに暗号化処理を施して記録媒体に記録する情報記録装置であって、
所定のキーを用いてデータに暗号化処理を施して記録媒体に記録する第１の手段と、
前記記録媒体に記録されていない固有データを用いて前記所定のキーに暗号化処理を施し、前記記録媒体に記録する第２の手段とを具備することを特徴とする情報記録装置。
【請求項２】
データに暗号化処理を施して記録媒体に記録する情報記録装置であって、
乱数発生により生成されたキーを用いてデータに暗号化処理を施し、その暗号化データを記録媒体に記録する第１の手段と、
前記記録媒体に記録されている第１の固有データを用いて、前記第１の手段で暗号化処理に用いたキーを暗号化して第１の暗号化キーを生成する第２の手段と、
前記記録媒体に記録されていない第２の固有データを用いて前記第１の暗号化キーに暗号化処理を施し、前記記録媒体に記録する第３の手段とを具備することを特徴とする情報記録装置。
【請求項３】
データに暗号化処理を施して記録媒体に記録する情報記録方法であって、
所定のキーを用いてデータに暗号化処理を施して記録媒体に記録する第１の工程と、
前記記録媒体に記録されていない固有データを用いて前記所定のキーに暗号化処理を施し、前記記録媒体に記録する第２の工程とを具備することを特徴とする情報記録方法。
【請求項４】
データに暗号化処理を施して記録媒体に記録する情報記録方法であって、
乱数発生により生成されたキーを用いてデータに暗号化処理を施し、その暗号化データを記録媒体に記録する第１の工程と、
前記記録媒体に記録されている第１の固有データを用いて、前記第１の工程で暗号化処理に用いたキーを暗号化して第１の暗号化キーを生成する第２の工程と、
前記記録媒体に記録されていない第２の固有データを用いて前記第１の暗号化キーに暗号化処理を施し、前記記録媒体に記録する第３の工程とを具備することを特徴とする情報記録方法。
【請求項５】
記録媒体から暗号化処理の施されたデータを再生する情報再生装置であって、
前記記録媒体に記録されている暗号化キーから前記記録媒体に記録されていない固有データを用いてキーを解読する第１の手段と、
前記第１の手段で解読されたキーを用いて前記記録媒体に記録されている暗号化処理の施されたデータを解読する第２の手段とを具備することを特徴とする情報再生装置。
【請求項６】
記録媒体から暗号化処理の施されたデータを再生する情報再生装置であって、
前記記録媒体に記録されている第２の暗号化キーから前記記録媒体に記録されていない第２の固有データを用いて第１の暗号化キーを解読する第１の手段と、
前記第１の手段で解読された第１の暗号化キーから前記記録媒体に記録されている第１の固有データを用いて所定のキーを解読する第２の手段と、
前記記録媒体に記録されている暗号化処理の施されたデータから前記第２の手段で解読された所定のキーを用いて元のデータを解読する第３の手段とを具備することを特徴とする情報再生装置。
【請求項７】
記録媒体から暗号化処理の施されたデータを再生する情報再生方法であって、
前記記録媒体に記録されている暗号化キーから前記記録媒体に記録されていない固有データを用いてキーを解読する第１の工程と、
前記第１の工程で解読されたキーを用いて前記記録媒体に記録されている暗号化処理の施されたデータを解読する第２の工程とを具備することを特徴とする情報再生方法。
【請求項８】
記録媒体から暗号化処理の施されたデータを再生する情報再生方法であって、
前記記録媒体に記録されている第２の暗号化キーから前記記録媒体に記録されていない第２の固有データを用いて第１の暗号化キーを解読する第１の工程と、
前記第１の工程で解読された第１の暗号化キーから前記記録媒体に記録されている第１の固有データを用いて所定のキーを解読する第２の工程と、
前記記録媒体に記録されている暗号化処理の施されたデータから前記第２の工程で解読された所定のキーを用いて元のデータを解読する第３の工程とを具備することを特徴とする情報再生方法。
【発明の詳細な説明】
【技術分野】
【０００１】
この発明は、データを暗号化して記録媒体に記録する情報記録装置及び情報記録方法に関する。また、この発明は、記録媒体から暗号化されたデータを読み出して復元する情報再生装置及び情報再生方法に関する。
【背景技術】
【０００２】
周知のように、近年では、デジタルデータの高密度記録が可能な光ディスクとして、片面１層に４．７ＧＢ（Giga Byte）もの情報記録容量を有するＤＶＤ（Digital Versatile Disk）が実用化されている。
【０００３】
このＤＶＤには、例えば、再生専用のＤＶＤ−ＲＯＭ（Read Only Memory）、追記型のＤＶＤ−ＲＷ（Rewritable）、書き替え可能なＤＶＤ−ＲＡＭ（Random Access Memory）等、複数の種類が用意されている。
【０００４】
ここで、デジタルデータを記録媒体に対して記録再生するシステムにおいては、著作権保護の観点から、記録媒体に記録されたデジタルデータが他の記録媒体に不正にコピーされることを防止するための保護対策が講じられている。
【０００５】
この保護対策としては、所定の暗号鍵に基づいてデジタルデータを暗号化して記録媒体に記録するとともに、この記録媒体に記録された固有情報に基づいて暗号鍵を暗号化して記録媒体に記録する技術がある。
【０００６】
これにより、記録媒体から暗号化されたデータを読み取って他の記録媒体にコピーしたとしても、コピー元の記録媒体とコピー先の記録媒体とは固有情報が異なるため、コピー先の記録媒体ではデータの暗号を解くための暗号鍵を生成することができず、不正コピーを防止することができる。
【０００７】
しかしながら、このような不正コピー防止対策では、暗号を解くために必要な固有情報が記録媒体に記録されているため、その記録媒体からは、誰でもデジタルデータの暗号化を解き再生することが可能となっている。
【０００８】
特許文献１には、コンテンツの使用を許可するユーザグループを特定する固有情報と暗号鍵とに基づいてコンテンツを暗号化して記録媒体に記録するとともに、この記録媒体を特定する固有情報に基づいて暗号鍵を暗号化して記録媒体に記録する技術が開示されている。
【特許文献１】特開２００４−１３９４７３号公報
【発明の開示】
【発明が解決しようとする課題】
【０００９】
そこで、この発明は上記事情を考慮してなされたもので、例えば記録媒体の所有者等、特定のユーザのみがその記録媒体を再生することを可能とし得る情報記録装置及び情報記録方法、情報再生装置及び情報再生方法を提供することを目的とする。
【課題を解決するための手段】
【００１０】
この発明に係る情報記録装置は、データに暗号化処理を施して記録媒体に記録するものであって、所定のキーを用いてデータに暗号化処理を施して記録媒体に記録する第１の手段と、記録媒体に記録されていない固有データを用いて所定のキーに暗号化処理を施し、記録媒体に記録する第２の手段とを備えるようにしたものである。
【００１１】
また、この発明に係る情報記録方法は、データに暗号化処理を施して記録媒体に記録する方法であって、所定のキーを用いてデータに暗号化処理を施して記録媒体に記録する第１の工程と、記録媒体に記録されていない固有データを用いて所定のキーに暗号化処理を施し、記録媒体に記録する第２の工程とを備えるようにしたものである。
【００１２】
さらに、この発明に係る情報再生装置は、記録媒体から暗号化処理の施されたデータを再生するものであって、記録媒体に記録されている暗号化キーから記録媒体に記録されていない固有データを用いてキーを解読する第１の手段と、第１の手段で解読されたキーを用いて記録媒体に記録されている暗号化処理の施されたデータを解読する第２の手段とを備えるようにしたものである。
【００１３】
また、この発明に係る情報再生方法は、記録媒体から暗号化処理の施されたデータを再生する方法であって、記録媒体に記録されている暗号化キーから記録媒体に記録されていない固有データを用いてキーを解読する第１の工程と、第１の工程で解読されたキーを用いて記録媒体に記録されている暗号化処理の施されたデータを解読する第２の工程とを備えるようにしたものである。
【発明の効果】
【００１４】
上記した発明によれば、記録時に、所定のキーを用いてデータに暗号化処理を施して記録媒体に記録するとともに、記録媒体に記録されていない固有データを用いて所定のキーに暗号化処理を施して記録媒体に記録する。そして、再生時に、記録媒体に記録されている暗号化キーから記録媒体に記録されていない固有データを用いてキーを解読し、そのキーを用いて記録媒体に記録されている暗号化処理の施されたデータを解読する。これにより、記録媒体に記録されていない固有データを知っている、例えば記録媒体の所有者等、特定のユーザのみがその記録媒体を再生することが可能となる。
【発明を実施するための最良の形態】
【００１５】
以下、この発明の実施の形態について図面を参照して詳細に説明する。図１は、この実施の形態で説明する光ディスク装置を示している。この光ディスク装置は、記録媒体としてＤＶＤ−ＲＡＭとハードディスクとの双方を取り扱うことができる。なお、ハードディスクあるいはＤＶＤ−ＲＡＭは、例えば半導体メモリによる記録媒体等に置換されてもよい。
【００１６】
図１の各ブロックを大きく分けると、左側には記録部の主なブロックを示し、右側には再生部の主なブロックを示している。
【００１７】
図１の光ディスク装置は、２種類のディスクドライブ部を有する。まず、ビデオファイルを構築できる情報記録媒体である第１のメディアとしての光ディスク１１を回転駆動し、情報の読み書きを実行するディスクドライブ部１２を有する。また、第２のメディアとしてのハードディスク１３ａを駆動するＨＤＤ（Hard Disk Drive）部１３を有する。
【００１８】
データプロセッサ部１４は、ディスクドライブ部１２及びＨＤＤ部１３に記録データを供給することができ、また、ディスクドライブ部１２及びＨＤＤ部１３から再生された信号を受け取ることができる。
【００１９】
ディスクドライブ部１２は、光ディスク１１に対する回転制御系、レーザ駆動系、光学系等を有する。データプロセッサ部１４は、記録または再生単位のデータを取り扱うもので、バッファ回路、変調・復調回路、エラー訂正部等を含む。
【００２０】
また、図１の光ディスク装置は、記録側を構成するエンコーダ部１５と、再生側を構成するデコーダ部１６と、装置本体の動作を制御するマイクロコンピュータブロック１７とを主たる構成要素としている。
【００２１】
エンコーダ部１５は、入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。エンコーダ部１５の出力は、バッファメモリ１８を含むフォーマッタ１９にて所定のＤＶＤ−ＲＡＭのフォーマットに変換され、上記したデータプロセッサ部１４に供給される。
【００２２】
エンコーダ部１５には、Ａ／Ｖ（Audio／Video）入力部２０からの外部アナログビデオ信号と外部アナログオーディオ信号、あるいはＴＶ（Television）チューナ部２１からのアナログビデオ信号とアナログオーディオ信号が入力される。
【００２３】
なお、エンコーダ部１５は、圧縮されたデジタルビデオ信号やデジタルオーディオ信号が直接入力されるときは、圧縮デジタルビデオ信号やデジタルオーディオ信号を直接フォーマッタ１９に供給することもできる。
【００２４】
また、エンコーダ部１５は、アナログデジタル変換されたデジタルビデオ信号やオーディオ信号を、Ｖ（Video）ミクシング部２２やオーディオセレクタ２３に直接供給することもできる。
【００２５】
エンコーダ部１５に含まれるビデオエンコーダでは、デジタルビデオ信号はＭＰＥＧ（Moving Picture Experts Group）２またはＭＰＥＧ１規格に基づいた可変ビットレートで圧縮されたデジタルビデオ信号に変換される。
【００２６】
デジタルオーディオ信号は、ＭＰＥＧまたはＡＣ（Audio Compression）−３規格に基づいて固定ビットレートで圧縮されたデジタルオーディオ信号、あるいはリニアＰＣＭ（Pulse Code Modulation）のデジタルオーディオ信号に変換される。
【００２７】
副映像信号がＡ／Ｖ入力部２０から入力された場合（例えば副映像信号の独立出力端子付ＤＶＤビデオプレーヤからの信号等）、あるいはこのようなデータ構成のＤＶＤビデオ信号が放送されて、それがＴＶチューナ部２１で受信された場合は、ＤＶＤビデオ信号中の副映像信号が副映像エンコーダでエンコード（ランレングス符号化）されて副映像のビットマップとなる。
【００２８】
エンコードされたデジタルビデオ信号、デジタルオーディオ信号、副映像データは、フォーマッタ１９にてパック化され、ビデオパック、オーディオパック、副映像パックとなり、さらにこれらが集合されてＤＶＤ−レコーディング規格［例えばＤＶＤ−ＲＡＭ、ＤＶＤ−Ｒ（Recordable）、ＤＶＤ−ＲＷ等に記録する規格］で規定されたフォーマットに変換される。
【００２９】
ここで、図１の光ディスク装置は、フォーマッタ１９でフォーマット化された情報（ビデオ、オーディオ、副映像データ等のパック）及び作成された管理情報を、データプロセッサ部１４を介してＨＤＤ部１３あるいはディスクドライブ部１２に供給し、ハードディスク１３ａあるいは光ディスク１１に記録することができる。
【００３０】
また、ハードディスク１３ａあるいは光ディスク１１に記録された情報を、データプロセッサ部１４、ディスクドライブ部１２を介して光ディスク１１あるいはハードディスクに１３ａ記録することもできる。
【００３１】
また、ハードディスク１３ａあるいは光ディスク１１に記録されている複数番組のビデオオブジェクトを、一部削除したり、異なる番組のオブジェクトをつなげたり、といった編集処理を行なうこともできる。これは、この実施の形態に係るフォーマットが取り扱うデータ単位を定義し、編集を容易にしているからである。
【００３２】
マイクロコンピュータブロック１７は、ＭＰＵ（Micro Processing Unit）またはＣＰＵ（Central Processing Unit）と、制御プログラム等が書きこまれたＲＯＭ（Read Only Memory）と、プログラム実行に必要なワークエリアを提供するためのＲＡＭとを含んでいる。
【００３３】
マイクロコンピュータブロック１７のＭＰＵは、そのＲＯＭに格納された制御プログラムにしたがい、ＲＡＭをワークエリアとして用いて、欠陥場所検出、未記録領域検出、録画情報記録位置設定、ＵＤＦ（Universal Disk Format）記録、ＡＶアドレス設定等を実行する。
【００３４】
また、マイクロコンピュータブロック１７は、システム全体を制御するために必要な情報処理部を有するもので、ワークＲＡＭ、ディレクトリ検出部、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部、暗号化処理部１７ａ、暗号解読処理部１７ｂ等を備える。
【００３５】
マイクロコンピュータブロック１７の実行結果のうち、ユーザに通知すべき内容は、光ディスク装置に内蔵の表示部２４に表示されるか、または、外部接続されたモニタディスプレイ２５にＯＳＤ（On Screen Display）表示される。また、マイクロコンピュータブロック１７は、この光ディスク装置を操作するための操作信号を与えるキー入力部２６を有する。
【００３６】
なお、マイクロコンピュータブロック１７が、ディスクドライブ部１２、ＨＤＤ部１３、データプロセッサ部１４、エンコーダ部１５及び／またはデコーダ部１６等を制御するタイミングは、ＳＴＣ（System Time Clock）２７からの時間データに基づいて実行することができる。
【００３７】
記録や再生の動作は、通常は、ＳＴＣ２７からのタイムクロックに同期して実行されるが、それ以外の処理はＳＴＣ２７とは独立したタイミングで実行されてもよい。
【００３８】
デコーダ部１６は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。
【００３９】
また、デコードされた主映像に、デコードされた副映像を適宜合成し、主映像にメニュー、ハイライトボタン、字幕やその他の副映像を重ねて出力するビデオプロセッサを備えている。
【００４０】
デコーダ部１６の出力ビデオ信号は、Ｖミクシング部２２に入力される。Ｖミクシング部２２では、テキストデータの合成が行なわれる。また、Ｖミクシング部２２には、ＴＶチューナ部２１やＡ／Ｖ入力部２０からの信号を直接取り込むラインも接続されている。
【００４１】
Ｖミクシング部２２には、バッファとして用いるフレームメモリ部２８が接続されている。Ｖミクシング部２２の出力がアナログ出力の場合は、Ｉ／Ｆ（Interface）２９を介して外部出力され、デジタル出力の場合はデジタルアナログ変換器３０を介してモニタディスプレイ２５に出力される。
【００４２】
デコーダ部１６の出力オーディオ信号は、セレクタ２３を介してデジタルアナログ変換器３１でアナログ変換され、外部接続されたスピーカ３２に出力される。このセレクタ２３は、マイクロコンピュータブロック１７からのセレクト信号により制御される。
【００４３】
これにより、セレクタ２３は、ＴＶチューナ部２１やＡ／Ｖ入力部２０からのデジタル信号を直接モニタするとき、エンコーダ部１５をスルーした信号を直接選択することも可能である。
【００４４】
なお、エンコーダ部１５のフォーマッタ１９では、記録中、各切り分け情報を作成し、定期的にマイクロコンピュータブロック１７のＭＰＵへ送っている［ＧＯＰ（Group Of Picture）先頭割り込み時等の情報］。この切り分け情報としては、ＶＯＢＵ（Video Object Unit）のパック数、ＶＯＢＵ先頭からのＩピクチャのエンドアドレス、ＶＯＢＵの再生時間等である。
【００４５】
同時に、アスペクト比情報処理部からの情報を記録開始時にマイクロコンピュータブロック１７へ送り、ＭＰＵはＶＯＢストリーム情報（ＳＴＩ）を作成する。ここで、ＳＴＩは、解像度データ、アスペクトデータ等を保存し、再生時、各デコーダ部ではこの情報を元に初期設定が行なわれる。
【００４６】
また、この記録再生装置では、ビデオファイルは１ディスクに１ファイルとしている。また、データをアクセス（シーク）している間に、途切れないで再生を続けるために、最低限連続する情報単位（サイズ）を決めている。この単位をＣＤＡ（Contiguous Data Area）という。ＣＤＡサイズは、ＥＣＣ（エラー訂正コード）ブロック（１６セクタ）の倍数であり、ファイルシステムではこのＣＤＡ単位で記録を行なっている。
【００４７】
データプロセッサ部１４は、エンコーダ部１５のフォーマッタ１９からＶＯＢＵ単位のデータを受け取り、ＣＤＡ単位のデータをディスクドライブ部１２あるいはＨＤＤ部１３に供給している。
【００４８】
また、マイクロコンピュータブロック１７のＭＰＵは、記録したデータを再生するのに必要な管理情報を作成し、データ記録終了のコマンドを認識すると、作成した管理情報をデータプロセッサ部１４に送る。
【００４９】
これにより、管理情報が光ディスク１１に記録される。したがって、エンコードが行なわれているとき、エンコーダ部１５からマイクロコンピュータブロック１７のＭＰＵは、データ単位の情報（切り分け情報等）を受け取る。
【００５０】
また、マイクロコンピュータブロック１７のＭＰＵは、記録開始時には光ディスク１１及びハードディスクから読み取った管理情報（ファイルシステム）を認識し、各ディスクの未記録エリアを認識し、データ上の記録エリアをデータプロセッサ部１４を介してディスクに設定している。
【００５１】
図２は、上記したマイクロコンピュータブロック１７の暗号化処理部１７ａにおける処理動作を示している。すなわち、光ディスク１１に記録するユーザデータ３３は、乱数発生により生成されたキー３４を用いて暗号化され、暗号化ユーザデータ３５となって光ディスク１１に記録される。
【００５２】
また、乱数発生により生成されたキー３４は、光ディスク１１に記録された第１の固有データ３６を用いて暗号化されることにより、第１の暗号化キー３７となる。そして、この第１の暗号化キー３７は、光ディスク１１に記録されていない第２の固有データ（例えば、その光ディスク１１の所有者等が設定したパスワード等）３８を用いて暗号化され、第２の暗号化キー３９となって光ディスク１１に記録される。
【００５３】
すなわち、光ディスク１１には、図３に示すように、暗号化ユーザデータ３５と、第１の固有データ３６と、第２の暗号化キー３９とが記録されることになる。
【００５４】
図４は、上記した暗号化処理部１７ａにおける処理動作をまとめたフローチャートを示している。すなわち、暗号化処理が開始（ステップＳ１）されると、暗号化処理部１７ａは、ステップＳ２で、光ディスク１１に記録するユーザデータ３３を、乱数発生により生成されたキー３４を用いて暗号化し、暗号化ユーザデータ３５を生成する。
【００５５】
その後、暗号化処理部１７ａは、ステップＳ３で、乱数発生により生成されたキー３４を、光ディスク１１に記録された第１の固有データ３６を用いて暗号化し、第１の暗号化キー３７を生成する。
【００５６】
次に、暗号化処理部１７ａは、ステップＳ４で、第１の暗号化キー３７を、光ディスク１１に記録されていない第２の固有データ３８を用いて暗号化し、第２の暗号化キー３９を生成する。
【００５７】
そして、暗号化処理部１７ａは、ステップＳ５で、暗号化ユーザデータ３５と第２の暗号化キー３９とを光ディスク１１に記録するように制御して、暗号化処理を終了（ステップＳ６）する。
【００５８】
図５は、上記したマイクロコンピュータブロック１７の暗号解読処理部１７ｂにおける処理動作を示している。すなわち、光ディスク１１から読み取った第２の暗号化キー３９は、光ディスク１１に記録されていない第２の固有データ３８を用いて解読されることにより、第１の暗号化キー３７となる。
【００５９】
その後、この第１の暗号化キー３７は、光ディスク１１に記録された第１の固有データ３６を用いて解読されることによって、乱数発生により生成されたキー３４となる。そして、光ディスク１１から読み取った暗号化ユーザデータ３５は、上記キー３４を用いて解読されることにより、元のユーザデータ３３に復元される。
【００６０】
図６は、上記した暗号解読処理部１７ｂにおける処理動作をまとめたフローチャートを示している。すなわち、暗号解読処理が開始（ステップＳ７）されると、暗号解読処理部１７ｂは、ステップＳ８で、光ディスク１１から暗号化ユーザデータ３５、第１の固有データ３６及び第２の暗号化キー３９を読み取る。
【００６１】
そして、暗号解読処理部１７ｂは、ステップＳ９で、読み取った第２の暗号化キー３９を、光ディスク１１に記録されていない第２の固有データ３８を用いて解読することにより、第１の暗号化キー３７を生成する。
【００６２】
その後、暗号解読処理部１７ｂは、ステップＳ１０で、第１の暗号化キー３７を第１の固有データ３６を用いて解読することにより、乱数発生により生成されたキー３４を生成する。そして、暗号解読処理部１７ｂは、ステップＳ１１で、暗号化ユーザデータ３５を上記キー３４を用いて解読することにより元のユーザデータ３３を復元して、暗号解読処理を終了（ステップＳ１２）する。
【００６３】
上記した実施の形態によれば、乱数発生により生成されたキー３４を用いてユーザデータ３３を暗号化して光ディスク１１に記録するとともに、キー３４を光ディスク１１に記録された第１の固有データ３６を用いて暗号化し、その第１の暗号化キー３７を光ディスク１１に記録されていない第２の固有データ３８を用いて暗号化して光ディスク１１に記録するようにしている。
【００６４】
このため、光ディスク１１の再生時には、光ディスク１１に記録されていない第２の固有データ３８がなければ、光ディスクに記録されている第２の暗号化キー３９を解読して第１の暗号化キー３７を生成することができず、ひいては、キー３４及びユーザデータ３３を解読することが不可能になる。これにより、第２の固有データ３８を知っている、例えば光ディスク１１の所有者等、特定のユーザのみがその光ディスク１１を再生することが可能となる。
【００６５】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６６】
【図１】この発明の実施の形態を示すもので、光ディスク装置を説明するために示すブロック構成図。
【図２】同実施の形態における光ディスク装置の暗号化処理部の処理動作を説明するために示す図。
【図３】同実施の形態における光ディスク装置の暗号化処理により光ディスクに記録されたデータを説明するために示す図。
【図４】同実施の形態における光ディスク装置の暗号化処理部の処理動作を説明するために示すフローチャート。
【図５】同実施の形態における光ディスク装置の暗号解読処理部の処理動作を説明するために示す図。
【図６】同実施の形態における光ディスク装置の暗号解読処理部の処理動作を説明するために示すフローチャート。
【符号の説明】
【００６７】
１１…光ディスク、１２…ディスクドライブ部、１３…ＨＤＤ部、１４…データプロセッサ部、１５…エンコーダ部、１６…デコーダ部、１７…マイクロコンピュータブロック、１８…バッファメモリ、１９…フォーマッタ、２０…Ａ／Ｖ入力部、２１…ＴＶチューナ部、２２…Ｖミクシング部、２３…セレクタ、２４…表示部、２５…モニタディスプレイ、２６…キー入力部、２７…ＳＴＣ、２８…フレームメモリ部、２９…Ｉ／Ｆ、３０，３１…デジタルアナログ変換器、３２…スピーカ、３３…ユーザデータ、３４…キー、３５…暗号化ユーザデータ、３６…第１の固有データ、３７…第１の暗号化キー、３８…第２の固有データ、３９…第２の暗号化キー。
【図１】
2006155803.tif 000003
【図２】
2006155803.tif 000004
【図３】
2006155803.tif 000005
【図４】
2006155803.tif 000006
【図５】
2006155803.tif 000007
【図６】
2006155803.tif 000008